(57)【要約】【課題】  キャップからのクリップの外れを防止しつつ、外観を損なわない筆記具用キャップとクリップとの固定構造を提供する。【解決手段】  筆記具用キャップ10とクリップ40との取付構造であり、前記キャップ10には、クリップ取付部13が設けられ、クリップ取付部13は、基部15と突出部16とからなり、該突出部16の両側には、顎部17が形成され、前記基部15と顎部17との間には、クリップ40の折曲部41が挿入される挿入溝18が形成され、該挿入溝18の底部にはクリップの係合部が係合される被係合部が形成され、クリップ40には、内方折曲部41と、前記顎部17を収容する収容部と、収容部の少なくとも一方端に形成された開口部44と、クリップ取付部13に設けられた被係合部と係合する係合部とが設けられ、前記挿入溝18は、キャップの閉塞部方向に進むにしたがいキャップ軸心方向へ傾斜して形成されている。【選択図】  図８
2005074823.tif 000002
【特許請求の範囲】
【請求項１】
一方に開放部と他方に閉塞部とが形成された筆記具用キャップと、クリップとの取付構造であって、前記キャップには、前記クリップが取り付けられるクリップ取付部が設けられ、
該クリップ取付部は、
基部と、
基部から外方に向かって突出した突出部とからなり、
該突出部の両側には、周方向に向かって突出するとともにキャップの長手方向に沿って顎部が形成され、前記基部と顎部との間には、クリップの折曲部が挿入される挿入溝が形成されるとともに、
該挿入溝の底部にクリップの係合部が係合される被係合部が形成され、
クリップの一方端には、
両側面を内方に折り曲げられた内方折曲部と、
内方折曲部の内部に形成され内部に前記顎部を収容する収容部と、
収容部の少なくとも一方端に形成された開口部と、
内方折曲部の先端に形成され、クリップ取付部に設けられた被係合部と係合する係合部とが設けられ、
前記挿入溝は、キャップの閉塞部方向に進むにしたがいキャップ軸心方向へ傾斜して形成されていることを特徴とする筆記具用キャップとクリップとの取付構造。
【請求項２】
キャップ開放部側の前記突出部上面のキャップ中心軸からの距離を、キャップ閉塞部側の前記突出部上面のキャップ中心軸からの距離よりも大きくしたことを特徴とする請求項１記載の筆記具用キャップとクリップとの取付構造。
【請求項３】
前記係合部と被係合部は、クリップを、クリップ取付部にキャップの開放部側から閉塞部側に向かって挿入した際に係合される構造であって、
前記挿入溝上面と突出部の上面との距離は、キャップ開放部側の方がキャップ閉塞部側よりも小さいことを特徴とする請求項１又は２に記載の筆記具用キャップとクリップとの取付構造。
【請求項４】
前記基部が設けられた箇所におけるキャップの肉厚は、開放部側よりも閉塞部側の方が大きいことを特徴とする請求項１、２、又は、３に記載の筆記具用キャップとクリップとの取付構造。
【発明の詳細な説明】
【技術分野】
【０００１】
本発明は、ボールペン、シャープペンシルなどの筆記具に用いられるキャップと、そのキャップに取り付けられるクリップとの取付構造に関する。
【背景技術】
【０００２】
キャップにクリップを固定した固定構造は数多く知られている。クリップがキャップと一体に成形されている場合は、問題にはならないが、クリップとキャップとが別の部品で形成され、それらが組み合わせされている場合、クリップとキャップとが過度の荷重により外れてしまうという問題が存在する。また、衣服のポケット縁などの被狭持物が薄い場合は、問題にならないが、ノートや本など被狭持物の厚みが相当ある場合には、クリップに大きな荷重がかかるため、外れてしまうおそれがある。
【０００３】
クリップとキャップとが別部品として形成された固定構造として、例えば、特許文献１が存在する。
【特許文献１】実開昭５１−６３４２５号公報本特許文献１の第２図を模式的に示した図１０及び図１１を用いて従来の問題を詳細に説明する。  図１０は、ケース体１の側面に形成された突出部２にクリップ３が固定されたものを示している。クリップ３の一部は、内側に折曲げられ、この折曲げ部（図示省略）が突出部２の両側面に形成された溝４ａ、４ｂに挿入固定されている。  クリップ３に対し、上方（ケース体１から離れる方向）に過度の荷重がかかると、突出部２の破損や変形などにより、折曲げ部が溝４ａ、４ｂから外れ、その結果、クリップ３が外れてしまうおそれがある。  この問題を解決する一つの手段として溝上面５と突出部上面２ａとの距離Ａを大きくする手段が考えられる。Ａ部の寸法を大きくしたものを図１１に示す。  Ａ部の寸法を大きくすると、結果的に、突出部２の突出量Ｂや、クリップ頂部３ａの突出量Ｃも大きくなる。なお、突出量Ｂ、Ｃはケース体１の中心軸からの距離を示している。
【発明の開示】
【発明が解決しようとする課題】
【０００４】
上述のように、Ａ部の寸法を大きくすることで、クリップ３の外れに対してはよくなるが、その一方、クリップ３の頂部３ａの寸法Ｃが大きくなってしまったり、突出部２の突出量Ｂが大きくなってしまうため、外観を損なうおそれがある。また、クリップ３の外れ防止のために、突出部２を大きくせざるを得ないとすると、デザイン上の制約が大きくなってしまう。
そこで、本発明はキャップからのクリップの外れを防止しつつ、外観を損なわない筆記具用キャップとクリップとの固定構造を提供することを課題とする。
【課題を解決するための手段】
【０００５】
課題を解決する第１の手段は、一方に開放部と他方に閉塞部とが形成された筆記具用キャップと、クリップとの取付構造であり、前記キャップには、前記クリップが取り付けられるクリップ取付部が設けられ、該クリップ取付部は、基部と、基部から外方に向かって突出した突出部とからなり、該突出部の両側には、周方向に向かって突出するとともにキャップの長手方向に沿って顎部が形成され、前記基部と顎部との間には、クリップの折曲部が挿入される挿入溝が形成されるとともに、該挿入溝の底部にクリップの係合部が係合される被係合部が形成され、クリップの一方端には、両側面を内方に折り曲げられた内方折曲部と、内方折曲部の内部に形成され内部に前記顎部を収容する収容部と、収容部の少なくとも一方端に形成された開口部と、内方折曲部の先端に形成され、クリップ取付部に設けられた被係合部と係合する係合部とが設けられ、前記挿入溝は、キャップの閉塞部方向に進むにしたがいキャップ軸心方向へ傾斜して形成されていることを特徴とするものである。
キャップとクリップとの取付は、後述する実施形態のように、クリップを開放部側から閉塞部側に向かって挿入する方法に限られず、閉塞部側から開放部側に向かって挿入する方法であってもよい。また、内方折曲部とクリップ上面とを結ぶ側壁部を弾性変形を利用して拡開させ、取付部の上方から挿入溝に内方折曲部を嵌入させる方法であってもよい。
この第１の手段のように、挿入溝を、キャップの閉塞部方向に進むにしたがいキャップ軸心方向へ傾斜して形成させることで、閉鎖部側の顎部の肉厚を十分に確保しつつ、キャップ外周面からの突出部の高さを抑えることができる。この結果、外観を損なわずにクリップの外れを防止できる筆記具用キャップとクリップとの取付構造を提供することができる。
【０００６】
第２の手段は、前記第１の手段において、キャップ開放部側の前記突出部上面のキャップ中心軸からの距離を、キャップ閉塞部側の前記突出部上面のキャップ中心軸からの距離よりも大きくしたことを特徴とするものである。
開放部側における顎部の厚みも確保することが可能となり、顎部の破損、変形などによるクリップの外れをより防止できるようになる。
【０００７】
第３の手段は、第１又は第２の手段において、前記係合部と被係合部は、クリップを、クリップ取付部にキャップの開放部側から閉塞部側に向かって挿入した際に係合される構造であって、前記挿入溝上面と突出部の上面との距離は、キャップ開放部側の方がキャップ閉塞部側よりも小さいことを特徴とするものである。
クリップ上面の閉塞部側の端部において、クリップの上面と突出部上面との間に形成される隙間を小さくし、キャップ軸中心からクリップの前方開口部におけるクリップ上面までの距離を小さくすることができ、外観を損なわないキャップとすることができる。
【０００８】
第４の手段は、第１、第２又は第３の手段において、前記基部が設けられた箇所におけるキャップの肉厚は、開放部側よりも閉塞部側の方が大きいことを特徴とするものである。
挿入溝が、キャップの閉塞部方向に進むにしたがいキャップ軸心方向へ傾斜しているため、基部の肉厚が閉塞部方向に進むに従って、小さくなる傾向にある。基部の肉厚が小さいと、基部の閉塞部側が変形、破損するおそれもある。キャップの閉塞部側の肉厚を厚くすることで、基部の周辺の変形等を防止し、クリップの外れ等を防止する。
【発明の効果】
【０００９】
本発明によりキャップからのクリップの外れを防止しつつ、外観を損なわない筆記具用キャップとクリップとの固定構造を提供することができる。
【発明を実施するための最良の形態】
【００１０】
以下本発明の実施の形態を図１から図９を用いて説明する。
【００１１】
図１は、キャップ１０にクリップ４０が取り付けられた状態を示す上面図である。キャップ１０は、キャップ本体１１と天冠１２とにより構成されている。このキャップ本体１１の側面の天冠側には、クリップ取付部１３が形成されており、この取付部１３にクリップ４０が係止されている。なお、本実施の形態においては、キャップ１０はキャップ本体１１と天冠１２とにより構成されているが、天冠１２を用いることなく、キャップ本体１１の一方端を単に閉塞させるだけでもよい。
以下、本明細書において、キャップ１０のうち、天冠１２などが設けられることで閉塞された方向を閉塞部側といい、閉塞部側とは反対側であって、筆記具の抜き差しが行われる側を開放部側という。なお、天冠１２に誤ってキャップ１０を飲み込んだときに通気を行わせる、通気部を形成することもできるが、この場合も天冠１２側を閉塞部側という。
【００１２】
図２は、図１から天冠１２を取り除いた状態を示す上面図である。天冠１２を取り除いた点以外は図１と同様である。以下、図面を見やすくするため、このように天冠１２を取り除いた状態の図を用いて説明する。
【００１３】
図３は、キャップ本体１１へのクリップ４０の取り付けを示す上面図である。本実施の形態においては、クリップ４０はキャップ本体１１の開放部側から挿入固定される。後で詳細に説明するが、クリップ４０の閉塞部側の一方端においてクリップ４０の両側面を内方に折曲げることで内方折曲部４１が形成されている。この内方折曲部４１の先端には鋸刃状の係合部４２が形成されている。
一方、キャップ本体１１の閉塞部側にも、クリップ取付部１３が形成され、この取付部１３には鋸刃状の被係合部１４が形成されており、この被係合部１４と前述の係合部４２が係合することでキャップ本体１１にクリップ４０が固定される。
前記係合部４２と被係合部１４は、クリップ４０をキャップ本体１１に開放部側から閉塞部側に向かって挿入する際に抵抗を小さくし、挿入とは逆方向に荷重がかかった際には、抵抗が大きくなるような形状となっている。より具体的には、キャップ閉塞部側に向かって鋸刃の山を漸次高くするとともに、ある高さに到達したら、一段落とし、更に、この一段落ちた点から再度鋸刃の山を高くするというものである。そして、係合部４２と被係合部１４にはこの形状が連続して形成されている。
【００１４】
図４は、クリップ４０の詳細を示す下面図（Ｂ）及び側面図（Ａ）である。クリップ４０の一方端（図中左端）には、クリップ４０の両側面を内方に折曲げられた内方折曲部４１が形成されている。内方折曲部４１とクリップ上面４５との間には側壁部４６が形成されている。また、内方折曲部４１の内部には、クリップ取付部１３の顎部１７を収納する収納部４３が形成されている。また、収納部４３の両端には、開口部４４が形成されており、閉塞部側の開口部４４より顎部１７が挿入される。また、前述したが、内方折曲部４１の先端には、クリップ取付部１３に設けられた被係合部１４と係合する係合部４２が形成されている。
【００１５】
図５は、クリップ取付部１３の詳細を示す側面図（Ａ）及びＢ−Ｂ線における断面図（Ｂ）、Ｃ−Ｃ線における断面図（Ｃ）である。このクリップ取付部１３は、基部１５と、基部１５から外方に向かって突出した突出部１６とからなる。この突出部１６の両側には、周方向に向かって突出するとともに、キャップ本体１１の長手方向に沿った形で顎部１７が形成されている。基部１５と顎部１７との間には、上述のクリップ４０の内方折曲部４１が挿入される挿入溝１８が形成されている。この挿入溝１８の底部には、クリップ４０の係合部４２が係合される被係合部１４が形成されている。そして、挿入溝１８は、（Ａ）に示すようにキャップ１０の閉塞部方向に進むに従って、下降して（キャップ１０の軸心方向へ傾斜して）形成されている。
そして、クリップ４０は図３に示したように、クリップ取付部１３にキャップ１０の開放部側から閉塞部側に向かって挿入した際に係合される構造となっている。
【００１６】
さらに、挿入溝上面１８ａと突出部１６の上面１６ａとの距離に特徴を持たせている。キャップ開放部側における挿入溝上面１８ａと突出部上面１６ａとの距離Ｙの方が、キャップ閉塞部側における挿入溝上面１８ａと突出部上面１６ａとの距離Ｘよりも小さくなっている。このように、挿入溝上面１８ａと突出部上面１６ａとの距離に相違を持たせた理由は後述の図６において説明する。
クリップ取付部１３は、基部１５から外方に向かって突出部１６が形成されている。突出部１６の両側面には、周方向の両側に突出した顎部１７が形成されている。また、上面から各顎部１７に向かってテーパー面１９が形成されている。各顎部１７と基部１５との間には、挿入溝１８が形成され、挿入溝１８の底部には被係合部１４が形成されている。
【００１７】
次に図６について説明する。図６は、図５を説明するための補足図である。図５では、前述のようにキャップ開放部側における挿入溝上面１８ａと突出部上面１６ａとの距離Ｙの方が、キャップ閉塞部側における挿入溝上面１８ａと突出部上面１６ａとの距離Ｘよりも小さくなっている。仮に、距離Ｙの方が、距離Ｘよりも大きい場合は以下のような問題が生じる。クリップ４０をクリップ取付部１３に対してキャップ１０の開放部側から挿入する場合、クリップ４０の閉塞部側の開口部４４の寸法Ｓ（開口部４４におけるクリップ上面４５と内方折曲部４１との距離Ｓ）を、突出部１６の開放部側端面２１における挿入溝上面１８ａと突出部１６の上面１６ａとの距離Ｔよりも大きくしなければ、クリップ４０をクリップ取付部１３に挿入することができない。このため、Ｓの寸法はＴよりも大きくしなければならない。
【００１８】
図７は図６に示した状態から、キャップ本体１１とクリップ４０とを固定した状態を示す側面図である。図６のような寸法関係（Ｓ＞Ｔ）においてクリップ４０をクリップ取付部１３に取り付けた状態を図７に示す。その結果、クリップ上面４５の閉塞部側の端部４５ａにおいて、クリップ４０の上面４５と突出部上面１６ａとの間に隙間５０が形成されることになる。この隙間５０の分だけ、キャップ軸中心からクリップの前方開口部４４におけるクリップ上面４５までの距離Ｇは大きくなってしまう。
よって、クリップ４０を、クリップ取付部１３にキャップ１０の開放部側から閉塞部側に向かって挿入した際に係合される構造である場合は、前記挿入溝上面１８ａと突出部上面１６ａとの距離は、キャップ開放部側の方がキャップ閉塞部側よりも小さいようにしておくことが望ましくなる。
【００１９】
図８は、図３の状態からクリップ４０をキャップ本体１１に取り付けた後における側面図を示している。本図では、前記挿入溝上面１８ａと突出部１６の上面１６ａとの距離を、キャップ開放部側の方がキャップ閉塞部側よりも小さいようにしてあり、かつ、挿入溝１８が傾斜して形成されているため、閉塞部側の開口部４４における顎部１７の厚さを十分に確保でき、また、閉塞部側の開口部４４におけるクリップ上面４５とキャップ中心軸との距離Ｇを小さくすることができる。また、クリップ上面４５の閉塞部側の端部４５ａにおけるキャップ中心軸から突出部上面１６ａまでの距離Ｅと、突出部１６の開放部側端面２１におけるキャップ中心軸から突出部上面１６ａまでの距離Ｆとの関係を、ＥよりもＦの方が大きくなるように形成してある。このような関係とすることで、開放部側においても顎部１７の厚みを確保でき、顎部１７の破損、変形などによるクリップ４０のはずれを抑制することができる。
【００２０】
図９は、キャップ本体１１にクリップ４０を取り付けた状態における縦断面図である。キャップ本体内周面には、段部２０を形成し、該段部２０よりも閉塞部側の肉厚が大きくなるようにしてある。この結果、挿入溝１８とキャップ内周面との距離（厚さ）が、開放部側よりも閉塞部側の方が大きく（厚く）なっている。    
挿入溝１８が、キャップ１０の閉塞部方向に進むにしたがいキャップ軸心方向へ傾斜しているため、基部１５の肉厚が閉塞部方向に進むに従って、小さくなる傾向にある。基部１５の肉厚が小さいと、基部１５の閉塞部側が変形、破損するおそれもある。キャップ１０の閉塞部側の肉厚を厚くすることで、基部１５の周辺の変形等を防止し、クリップ４０の外れ等を防止する。なお、キャップ本体１１の肉厚を厚くするためには、キャップ内周面を漸次キャップ閉塞部方向に向かって縮径するようにしてもよい。
【図面の簡単な説明】
【００２１】
【図１】キャップにクリップが取り付けられた状態を示す上面図である。
【図２】図１から天冠を取り除いた状態を示す上面図である。
【図３】キャップ本体へのクリップの取り付けを示す上面図である。
【図４】クリップの詳細を示す下面図（Ｂ）及び側面図（Ａ）である。
【図５】クリップ取付部の詳細を示す側面図（Ａ）及び断面図（Ｂ）、（Ｃ）である。
【図６】図５を説明するための補足図である。
【図７】図６に示した状態から、キャップ本体とクリップとを固定した状態を示す側面図である。
【図８】図３の状態からクリップをキャップ本体に取り付けた後における側面図を示している。
【図９】キャップ本体にクリップを取り付けた状態における縦断面図である。
【図１０】従来の技術を模式的に示した縦断面図である。
【図１１】従来の技術を模式的に示した縦断面図である。
【符号の説明】
【００２２】
１  ケース体
２  突出部
２ａ  突出部上面
３  クリップ
３ａ  クリップ頂部
４ａ  溝
４ｂ  溝
５  溝上面
１０  キャップ
１１  キャップ本体
１２  天冠
１３  クリップ取付部
１４  被係合部
１５  基部
１６  突出部
１６ａ  突出部上面
１７  顎部
１８  挿入溝
１８ａ  挿入溝上面
１９  テーパー面
２０  段部
２１  開放部側端面
４０  クリップ
４１  内方折曲部
４２  係合部
４３  収納部
４４  開口部
４５  クリップ上面
４５ａ  クリップ上面閉塞部側端部
４６  側壁部
５０  隙間
Ａ  溝上面と突出部上面との距離
Ｂ  突出部の突出量
Ｃ  クリップ頂部の突出量
Ｘ  キャップ閉塞部側における挿入溝上面と突出部上面との距離
Ｙ  キャップ開放部側における挿入溝上面と突出部上面との距離
Ｓ  クリップの閉塞部側の開口部の寸法
Ｔ  突出部の開放部側端面における挿入溝上面と突出部上面との距離
Ｅ  クリップ上面の閉塞部側の端部におけるキャップ中心軸から突出部上面までの距離
Ｆ  突出部の開放部側端面におけるキャップ中心軸から突出部上面との距離
Ｇ  キャップ中心軸からクリップの前方開口部におけるクリップ上面までの距離
【図１】
2005074823.tif 000003
【図２】
2005074823.tif 000004
【図３】
2005074823.tif 000005
【図４】
2005074823.tif 000006
【図５】
2005074823.tif 000007
【図６】
2005074823.tif 000008
【図７】
2005074823.tif 000009
【図８】
2005074823.tif 000010
【図９】
2005074823.tif 000011
【図１０】
2005074823.tif 000012
【図１１】
2005074823.tif 000013